(57)【要約】      （修正有）【課題】機器の前面から側面に引き回される水平方向のケーブルと機器の側面からキャビネットラックの底面の開口に引き回される垂直方向のケーブルの両方を１つのケーブルサポートで整理して保持することができるキャビネットラックのケーブルサポートを提供する。【解決手段】キャビネットラック１は、垂直フレーム２と水平フレーム３とで箱状のラック本体４を構成し、ラック本体４の内部に４本のマウントアングル６を垂設し、マウントアングル６の上下方向に複数の機器５を取り付け、ラック本体４の前後のマウントアングル３，３間にケーブル９を保持するためのケーブルサポート７を後端側を高くして傾斜状態で取り付ける。そして、機器５の前面に接続したケーブル９を機器５の側面方向に引き回してケーブルサポート７のケーブル保持部に保持させ、ケーブル保持部からケーブル９を下に垂らしてラック本体４の底面の開口１０から出線させる。【選択図】図５
2011211066.tif 000002
【特許請求の範囲】
【請求項１】
垂直フレームと水平フレームとで箱状のラック本体を構成し、該ラック本体の内部に４本のマウントアングルを垂設し、該マウントアングルの上下方向に複数の機器を取り付け、前後の前記マウントアングル間にケーブルを保持するためのケーブルサポートを取り付けて成るキャビネットラックのケーブルサポートにおいて、前記ケーブルサポートは前記マウントアングル間に傾斜状態で取り付けたことを特徴とするキャビネットラックのケーブルサポート。
【請求項２】
前記ケーブルサポートは複数のケーブル保持部を備え、該ケーブル保持部を前記マウントアングルに固定される前記機器の高さに対応する位置に設けたことを特徴とする請求項１に記載のキャビネットラックのケーブルサポート。
【請求項３】
前記ケーブルサポートは前記マウントアングルへの取り付け位置を長手方向に変更可能にしたことを特徴とする請求項１又は請求項２に記載のキャビネットラックのケーブルサポート。
【発明の詳細な説明】
【技術分野】
【０００１】
本発明は、電子機器、電気機器、通信機器などを収納するためのキャビネットラックに取り付けられ、機器へ配線されるケーブルを保持するためのケーブルサポートに関する。
【背景技術】
【０００２】
従来、電子機器、電気機器、通信機器など各種機器を収納するためのキャビネットラックは垂直フレームと水平フレームとで箱状の骨組みのラック本体を構成し、ラック本体は、機器を固定するマウントアングルが上下の水平フレーム間に左右２本ずつ固定されて垂設されている。機器はマウントアングルの上下方向に所定間隔で形成された取付孔に螺着されて取り付けられる。また、ラック本体の左右両側には前後のマウントアングル間にケーブルサポートが水平状態に適宜箇所取り付けられ、機器に配線されるケーブルを保持するようになっている。そして、機器の前面に接続されたケーブルをキャビネットラックの底面に形成された開口から出線する場合、機器の前面に接続されたケーブルは機器の側面方向に引き回されてケーブルサポートに形成された孔に結束バンドで固定された後、ケーブルサポートから下に垂らしてラック本体の底面の開口から出線されるようになっていた（例えば、特許文献１、特許文献２参照。）。
【先行技術文献】
【特許文献】
【０００３】
【特許文献１】特開２００２−９４２５９号公報（図１）
【特許文献２】特開２００３−２２９６８１号公報（図１、図４）
【発明の概要】
【発明が解決しようとする課題】
【０００４】
このように従来のケーブルサポートは水平状態に取り付けられているので垂直方向のケーブルしか整線できず、取り付け高さの異なる複数の機器の前面から側面に引き回される水平方向のケーブルは垂れ下がってしまい、煩雑になっていた。
【課題を解決するための手段】
【０００５】
請求項１に記載の発明によれば、垂直フレームと水平フレームとで箱状のラック本体を構成し、ラック本体の内部に４本のマウントアングルを垂設し、マウントアングルの上下方向に複数の機器を取り付け、前後のマウントアングル間にケーブルを保持するためのケーブルサポートを取り付けて成るキャビネットラックのケーブルサポートにおいて、ケーブルサポートはマウントアングル間に傾斜状態で取り付けたことを特徴とする。
【０００６】
請求項２に記載の発明によれば、請求項１に記載のキャビネットラックのケーブルサポートにおいて、ケーブルサポートは複数のケーブル保持部を備え、ケーブル保持部をマウントアングルに固定される機器の高さに対応する位置に設けたことを特徴とする。
【０００７】
請求項３に記載の発明によれば、請求項１又は請求項２に記載のキャビネットラックにおいて、ケーブルサポートはマウントアングルへの取り付け位置を長手方向に変更可能にしたことを特徴とする。
【発明の効果】
【０００８】
請求項１に記載の発明によれば、機器の前面に接続されたケーブルを機器の側面を通してキャビネットラックの底面の開口から出線する際に、機器の前面から側面に引き回される水平方向のケーブルと機器の側面からキャビネットラックの底面の開口に引き回される垂直方向のケーブルの両方を１つのケーブルサポートで整理して保持することができるという効果がある。
【０００９】
請求項２に記載の発明によれば、請求項１に記載の発明の効果に加えて、ケーブルサポートに機器毎にケーブルを整理して保持することができるという効果がある。
【００１０】
請求項３に記載の発明によれば、請求項１又は請求項２に記載の発明の効果に加えて、マウントアングルの前後位置を変更してマウントアングルの間隔が変更した場合でも１種類のケーブルサポートで対応することができるという効果がある。
【図面の簡単な説明】
【００１１】
【図１】本発明に係るキャビネットラックを示す斜視図である。
【図２】マウントアングルにケーブルサポートを取り付ける方法を説明する分解斜視図である。
【図３】ケーブルサポートを示す斜視図である。
【図４】マウントアングルに機器を取り付け、ケーブルサポートにケーブルを保持させた状態を示す斜視図である。
【図５】キャビネットラックの使用状態を示す斜視図である。
【図６】ケーブルサポートの変形実施例を示す斜視図である。
【図７】ケーブルサポートの変形実施例を示す斜視図である。
【発明を実施するための形態】
【００１２】
キャビネットラックは、垂直フレームと水平フレームとで箱状のラック本体を構成し、ラック本体の内部に４本のマウントアングルを垂設し、マウントアングルの上下方向に複数の機器を取り付け、ラック本体の前後のマウントアングル間にケーブルを保持するためのケーブルサポートを後端側を高くして傾斜状態で取り付ける。そして、機器の前面に接続したケーブルを機器の側面方向に引き回してケーブルサポートのケーブル保持部に保持させ、ケーブル保持部からケーブルを下に垂らしてラック本体の底面の開口から出線させる。
【実施例１】
【００１３】
本発明に係るキャビネットラックのケーブルサポートの実施例１を図１〜図５の添付図面に基づいて説明する。
【００１４】
電子機器、通信機器、電気機器など各種機器を収納するためのキャビネットラック１は、垂直フレーム２と水平フレーム３とで箱状の骨組みのラック本体４を構成している。ラック本体４の内部には機器５や棚などを固定する４本のマウントアングル６が垂設され、マウントアングル６はラック本体４の左右両側の上下の水平フレーム３，３間に２本ずつ前後移動可能に螺着されて固定されている。
【００１５】
ラック本体４の左右両側の前後のマウントアングル６，６間にはケーブルサポート７が後端側を高くして傾斜状態で適宜箇所に取り付けられる。ケーブルサポート７は長板材の両端にネジ挿通孔７ａが形成され、ネジ挿通孔７ａにネジ８を挿通させてマウントアングル６に螺着して固定される。また、ケーブルサポート７は長手方向の１辺に複数のフック状のケーブル保持部７ｂが形成され、ケーブル保持部７ｂは機器５の１Ｕの高さ毎に対応する位置に設けられている。
【００１６】
キャビネットラック１に取り付けられる機器５はＥＩＡ規格又はＪＩＳ規格により高さ寸法及び幅寸法が決まっており、機器５の高さはＥＩＡ規格の場合、基本単位となる１Ｕが１．７５インチ（４４．５ｍｍ）であり、ＪＩＳ規格の場合は１Ｕが５０．０ｍｍである。このため、マウントアングル６は各規格に応じて形成され、機器５はマウントアングル６に所定の間隔で形成された取付孔６ａに螺着されて上下に複数取り付けられる。機器５は種類に応じて前側の２本のマウントアングル６だけを利用して取り付けられる場合もあるし、前後４本のマウントアングル６を利用して取り付けられる場合もある。
【００１７】
キャビネットラック１におけるケーブル９の配線は、機器５の前面に接続されたケーブル９をキャビネットラック１の底面の開口１０から出線する場合、機器５の前面に接続されたケーブル９は機器５の側面方向に水平に引き回され、ケーブルサポート７のケーブル保持部７ｂにケーブル９を引っ掛けて保持させた後、ケーブルサポート７からケーブル９を下に垂らしてラック本体４の底面の開口１０から出線させる。
【００１８】
キャビネットラック１は図示しないがラック本体４の前面に扉が取り付けられ、背面に扉又はパネルが取り付けられ、左右側面及び上面にパネルが取り付けられて使用される。
【００１９】
このようにケーブルサポート７は傾斜させて取り付けられているので高さ位置の異なる複数の機器から水平方向に引き回されたケーブル９をほぼ水平のままでケーブルサポート７に保持させることができ、更にケーブルサポート７から下に垂らして配線されるケーブル９も整線されるのでケーブル９が煩雑にならない。
【００２０】
尚、本実施例において、ケーブルサポート７をラック本体４の左右両側に設けたが、左右一方だけに設けても問題ない。また、ケーブルサポート７のケーブル保持部７ｂをフック状に形成したが、棒状や波状に突出させてケーブル９を引っ掛けるように形成したり、複数の孔を形成して結束バンドで保持するように形成するなど、ケーブル保持部７ｂの構造について限定はない。
【００２１】
また、ケーブルサポート７は長手方向に取り付け位置を変更可能に図６に示すようにケーブルサポート７の長手方向にネジ挿通孔７ａを複数設けたり、図７に示すようにネジ挿通孔７ａをケーブルサポート７の長手方向に長孔形状に形成することでマウントアングル６の前後間隔が変わった場合でも取り付けることが可能になる。
【符号の説明】
【００２２】
１    キャビネットラック
２    垂直フレーム
３    水平フレーム
４    ラック本体
５    機器
６    マウントアングル
６ａ    取付孔
７    ケーブルサポート
７ａ    ネジ挿通孔
７ｂ    ケーブル保持部
８    ネジ
９    ケーブル
１０    開口
【図１】
2011211066.tif 000003
【図２】
2011211066.tif 000004
【図３】
2011211066.tif 000005
【図４】
2011211066.tif 000006
【図５】
2011211066.tif 000007
【図６】
2011211066.tif 000008
【図７】
2011211066.tif 000009